(57)【要約】【課題】  足の効果的な洗浄が手軽に行え、足水虫の治療や予防、再発防止のために、足の洗浄を効果的に、しかも手軽に行えるようにすると。【解決手段】  上端が開口した有底状の足収容空間１４を有する容器本体１２を設け、該容器本体１２の内底面に、弾力性を有する多孔質部材および／または繊維製部材からなる洗浄体１５を備えた足水虫用洗浄容器１１。上記足収容空間１４内に、酵素入り合成洗剤を溶かした洗浄液１６を溜めるとともに、足を入れて足踏みして使用する。【選択図】    図３
2006262913.tif 000002
【特許請求の範囲】
【請求項１】
上端が開口した有底状の足収容空間を有する容器本体を設け、
該容器本体の内底面に、弾力性を有する多孔質部材および／または繊維製部材からなる洗浄体を備えた
足水虫用洗浄容器。
【請求項２】
前記洗浄体の厚さが、踏まれた時に少なくとも足の裏面を埋没可能にする厚さである
請求項１に記載の足水虫用洗浄容器。
【請求項３】
前記洗浄体が、足をのせ得る大きさを有し、その表面における、足の爪先部分、足の土踏まず部分、足の外側の縁部分、または足の踵部分のうち少なくともいずれか一箇所に対応する部分に、その他の部分よりも隆起する隆起部を形成したものである
請求項１または請求項２に記載の足水虫用洗浄容器。
【請求項４】
前記容器本体が、足の爪先側部分を包囲する包囲部を突設した靴型である
請求項１から請求項３のうちのいずれか一項に記載の足水虫用洗浄容器。
【請求項５】
前記容器本体の内側面に、前記多孔質体が圧縮された時に下から上がる噴流の方向を規制して循環を促進させる循環促進面を形成した
請求項１から請求項４のうちのいずれか一項に記載の足水虫用洗浄容器。
【請求項６】
前記請求項１から請求項５のうちのいずれか一項に記載の足水虫用洗浄容器の足収容空間内に、酵素入り合成洗剤を溶かした洗浄液を溜めるとともに、足を入れて足踏みする
足水虫用洗浄容器の使用方法。
【発明の詳細な説明】
【技術分野】
【０００１】
この発明は、足水虫の治療や予防、再発防止、足臭防止等に有効である足の洗浄を行うのに好適な、水虫用洗浄容器に関する。
【背景技術】
【０００２】
水虫治療は、塗り薬を用いて行うのが一般的である。  
そして、この治療に際して最も大事なのが、水虫薬の塗布前に患部をよく洗って表面の汚れを落とすことである。この洗浄作業をぬきにしては、水虫薬を浪費するばかりで、効果は期待できない。
【０００３】
ところが、患部の洗浄作業は、かがんで行わなければならず、腰に負担がかかる。しかも、足水虫にかかりやすい人は、靴や靴下を長時間履き続けている人が多いので、疲労もあり、また時間的制約もあって、こまめに洗浄することはなかなかできない。
【０００４】
このように、足の洗浄は、入浴時以外に行うのは面倒であり、気軽に行えるものではなかった。  
しかし、足の洗浄が気軽に行えるようにする簡素な器具は、これまでに提案されていない。
【０００５】
一方で、足に対して水虫薬を簡単に塗ろうとするための技術は提案されている。たとえば、下記特許文献１に開示された水虫治療用靴である。
【０００６】
この水虫治療用靴は、足に履く長靴状に形成された靴本体の上端開口周縁に、口ゴム等の絞り手段を施したもので、靴本体の内部底面には、足裏刺激用凹凸面が形成されている。
【０００７】
この水虫治療用靴によれば、靴本体内に水虫治療薬を溜めてから足を入れて使用する。絞り手段を有しているので、水虫治療薬が零れることはなく、家事などをしながら水虫治療薬の塗布が可能であるという利点を有する。また、内部底面に形成した足裏刺激用凹凸面が水虫治療薬の浸透をしやすくするという効果も記載されている。
【０００８】
しかし、水虫治療用靴は、足を水虫治療薬に浸して、水虫治療薬の浸透を自動的に行えるようにするためのものであって、足を洗浄するものではない。このため、たとえ靴本体内に水を入れてから履いても、足を充分に洗浄することはできない。
【０００９】
【特許文献１】実開昭６２−３０８３０号公報
【発明の開示】
【発明が解決しようとする課題】
【００１０】
最近、足の清潔を意識する人が多くなり、医療機関でスリッパを消毒して再使用するところが多くなってきたが、水虫菌が皮膚の奥深く浸入して、住み着くと治療が困難になる。
【００１１】
この発明は、足の効果的な洗浄が手軽に行え、足水虫の初期治療や予防、再発防止、足臭の改善効果を発揮する。
【００１２】
水虫の初期感染を食い止めることこそ水虫治療の基本である。足が、手を洗う様に洗浄できるようにすることで、水虫の保菌者を減少させ、水虫で悩む人を激減することが可能な水虫用洗浄容器の提供を主たる課題とする。
【課題を解決するための手段】
【００１３】
そのための手段は、上端が開口した有底状の足収容空間を有する容器本体を設け、該容器本体の内底面に、弾力性を有する多孔質部材および／または繊維製部材からなる洗浄体を備えた足水虫用洗浄容器であることを特徴とする。
【００１４】
すなわち、容器本体の内底面に、洗浄体を有しているので、足収容空間内に足を入れることにより、洗浄体が荷重により圧縮される。また、足を上げて洗浄体にかかる荷重を取り除くと、洗浄体の形状は復元する。
【００１５】
このため、足収容空間内に水や湯、洗浄液などを入れておけば、足踏みしたり、歩行したりして足収容空間内で足を動かすことによって、水等が足収容空間内を激しく移動する。この激しい移動により、噴流が生じ、足は洗浄される。そして、洗浄体は足の接触面に対し変形しながら摩擦する。洗浄体が変形するので、上記摩擦を受けるのは、足の裏面の突出した部分のみではなく、その周辺部分も含めた広範囲に及ぶ。  
このようにして、足は噴流と摩擦により洗浄される。洗浄後は、きれいな水や湯で洗い流す。
【００１６】
なお、上記足収容空間は、足を収容可能とする空間ではあるが、足を収容した時に、足収容空間内で足踏みができるような余裕を持った大きさに形成されるのが好ましい。つまり、足に対応する大きさの仮想空間の周囲に、靴の場合とは異なり、足踏み時に足が動けるようにするためのあそび空間を有した大きさである。
【００１７】
このようにあそび空間を設けると、足踏みするだけで足の洗浄が行え、気分転換や軽い運動の要領で気軽に足の洗浄が行えるようになる。
【００１８】
また、上記洗浄体は、容器本体の内底面に対して着脱可能に取付けられるものであるとよい。充分な洗浄が容易で、清潔に保つことができる。そのうえ、磨り減った場合に新しいものと交換したり、水虫の状態に応じて作用の異なるものと取り替えたりすることもできる。  
ここで、上記構成要件は、つぎのように構成することができる。
【００１９】
上記洗浄体の厚さは、踏まれた時に少なくとも足の裏面を埋没可能にする厚さであるとよい。足の裏面とは、足の最も外側に位置する外周縁位置から下側の部分のことであり、このように構成することにより、たとえば余分な荷重を無理にかけるようにしなくとも、足の裏全体を確実に洗浄することができるようになる。また、足を少し傾けるだけで、足の裏より上側の部分を摩擦することもできる。
【００２０】
上記洗浄体は、足をのせ得る大きさを有し、その表面における、足の爪先部分、足の土踏まず部分、足の外側の縁部分、または足の踵部分のうち少なくともいずれか一箇所に対応する部分に、その他の部分よりも隆起する隆起部を形成したものであるとよい。隆起部が、足における水虫のできやすい部分をより強く摩擦作用するので、足の効果的な洗浄が行える。
【００２１】
上記容器本体は、足の爪先側部分を包囲する包囲部を突設した靴型であるとよい。包囲部が圧の爪先側部分を包囲するので、足収容空間内に入れた水等の使用量を抑えることができるとともに、水虫のできやすい爪先部分を集中して洗浄することができる。
【００２２】
上記容器本体の内側面には、上記洗浄体が圧縮された時に下から上がる噴流の方向を規制して循環を促進させる循環促進面を形成するとよい。循環促進面が噴流を循環させるので、よどむ部分を少なくして効果的な洗浄作用が実現する。
【００２３】
別の手段は、上記足水虫用洗浄容器の足収容空間内に、酵素入り合成洗剤を溶かした洗浄液を溜めるとともに、足を入れて足踏みする足水虫用洗浄容器の使用方法であることを特徴とする。
【００２４】
すなわち、足踏みするだけで、洗浄液の噴流と洗浄体による摩擦とによる洗浄が行える。洗浄液には、酵素入り合成洗剤を溶かしたものを使用するので、高価な水虫薬が不要である。このため、安価に使用することができる。また、酵素入りであるので、水虫の原因である白癬菌を分解し、死滅させるのに有効である。
【発明の効果】
【００２５】
以上のように、この発明によれば、容器本体内に水や湯、洗浄液などを溜めて足を入れ、足踏みや歩行を行うことで、簡単に足の洗浄が行える。
【００２６】
しかも、足を洗うのに屈む必要がないので、疲れていたり、腰が痛かったりしても、手を洗うごとく比較的容易に洗浄が行える。このため、休憩時間を利用するなど、入浴時以外でも気軽に洗浄が行え、水虫治療や予防、再発防止に効果的である。特に、足踏みをして洗浄を行う場合には、歩くスペースは不要であり、また気分転換や軽い運動にもなるので、足を洗浄するわずらわしさを低減できる。
【００２７】
また、電動ポンプなどを用いて水等を強制的に噴射して洗浄するものとは異なり、電力は不要で、構成も簡素である。そのうえ、使用方法も簡単である。これらの点からも、必要な時に手軽に使用できる足水虫用洗浄器が得られるといえる。
【００２８】
さらに、上記水等に代えて水虫薬を使用すれば、足に対する水虫薬の塗布も簡単に行える。このとき、洗浄体の存在により、水虫薬を患部に対して擦り込み、速やかに浸透させることができる。
【発明を実施するための最良の形態】
【００２９】
この発明を実施するための一形態を、以下図面を用いて説明する。  
図１は、足水虫用洗浄容器１１（以下、洗浄容器という）の斜視図であり、この図に示すように、洗浄容器１１は、上端が開口した有底状で、ずんどうな形状の容器本体１２を有する。
【００３０】
容器本体１２は、平面視方形状で、左右の足を並べて入れられる大きさである（図１の仮想線参照）。そして、その高さは、足全体と、脚のふくらはぎ部分から下側の適宜部分を収容できる寸法である。素材には、液体を通さない合成樹脂、たとえばポリエチレン等を用い、これを成形して得る。透明または半透明等の透光性を有し、内部が透視可能なものであるも、そうではない有色のものであるもよい。
【００３１】
上端開口部の外周縁には、断面逆Ｌ字形状に曲がる鍔状の縁部１３を形成して、形態の安定化と持ちやすさの向上を図っている。
【００３２】
なお、容器本体１２の周壁１２ａは、適度な弾性を有するものであるのが好ましい。接触した時の当たりをやわらかくすることができる。
【００３３】
この容器本体１２の内部空間は、足を収容する足収容空間１４である。この足収容空間１４は、足踏みができるような余裕を持った大きさに設定される。すなわち、図２に示したように、足と脚の下部に対応する大きさの仮想空間１４ａの周囲に、足踏み時に足と脚の下部が積極的に動けるようにするためのあそび空間１４ｂを有した大きさである。上記仮想空間１４ａとあそび空間１４ｂは、図面上、一点鎖線で区切って図示している。
【００３４】
そして、この足収容空間１４を形成する容器本体１２の内底面には、表面が平らなマット状の洗浄体１５を取付けている。取付けは、接着剤を用いるなど、適宜の方法で行えばよい。
【００３５】
洗浄体１５は、弾力性を有し、踏みつけたときに足を埋没可能にするものがよく、たとえば軟質の発泡樹脂からなるスポンジで構成される。スポンジに代えて、たとえばヘチマ皮などの天然素材を用いるもよい。その他に、たとえば織物、編物、不織布、フェルト、立体編織物、ループパイル・カットパイルを有した絨毯・カーペット・タオル等のマット・シート状の繊維製部材などを採用することもできる。
【００３６】
また、洗浄体の厚みは、踏みつけたときに、図３に示した如く、足の裏を完全に埋没させることができる厚さに設定している。具体的には例えば、およそ８〜１０cm以上に設定するとよい。
【００３７】
このように構成した洗浄容器１１は、酵素入りの合成洗剤を水または湯に溶かして洗浄液１６を入れて使用する。すなわち、洗浄液１６を足収容空間１４内に溜めて足を入れ、その場で足踏みをする。洗浄液１６は、図３に示したように、洗浄体１５の表面位置より上の位置まで入れるとよい。また、洗浄液１６を入れるのは、足を入れた後であるもよい。
【００３８】
そして、上述のように足踏みをすることによって、足の爪先部分、土踏まず部分、足の外側の縁部分、足の踵部分を含めた、主として足の裏側全体が洗浄される。すなわち、足を交互に上下動させることによって、洗浄体１５は圧縮と膨張を繰り返し、そのたびに洗浄液１６の噴流が発生する。噴流は、足収容空間１４内を巡り、その勢いと洗浄力で足を洗浄する。同時に、洗浄体１５は、その表面の微細な凹凸で、弾力的に変形しながら足の表面をこすり、その摩擦によって洗浄する。
【００３９】
しかも、洗浄体１５は、弾力性を有するとともに、足の裏を完全に埋没させる厚みに設定されているので、足の裏全体を満遍なく洗浄できる。そのうえ、その弾力性によって足をやさしく変形させながら摩擦するので、水虫のできやすい趾間部分などは、足指を広げながら洗うことができる。また、土踏まずや足の外側の縁部分に対しても、足を余り傾けずに洗浄が行える。このように、足を全体的に効率よく洗浄できる。
【００４０】
なお、足踏みは、図４（ａ）に示したように、足を平行に保った状態で上下動して行うもののほか、（ｂ）に示したように、足の踵側のみを上下動するものであるも、（ｃ）に示したように、足の爪先側のみを上下動するものであるも、いずれでもよい。
【００４１】
このようにして洗浄液１６による洗浄を行った後は、水や湯できれいに洗って、洗浄液を除去すれば、足の表面の汚れが落ち、悪臭が除去された状態になる。また、洗浄液の酵素成分により、水虫の原因である白癬菌を分解し、死滅させることもできる。
【００４２】
この後は、必要に応じて、水虫薬を塗布すれば、水虫の治療ができる。また、治療を目的とするのではなく、予防、再発防止として、洗浄のみを行うもよい。  
また、洗浄液１６を使用せずに、水や湯で洗浄するのも治療、予防、再発防止に貢献できる。
【００４３】
さらに、洗浄容器１１は、洗浄体１５に水虫薬を塗布し、または染込ませてから、足を入れて足踏みすれば、足に対する水虫薬の塗布が簡単に行える。  
以上のように、簡単に足の洗浄が行える。
【００４４】
しかも、足を洗うのに屈む必要がないので、疲れていたり、腰が痛かったりしても、比較的容易に洗浄が行える。このため、休憩時間を利用するなど、入浴時以外でも気軽に洗浄が行え、水虫治療や予防、再発防止に効果的である。
【００４５】
また、洗浄は、足踏みをして行うので、歩くスペースは不要であり、また気分転換や軽い運動にもなるので、足を洗浄するわずらわしさを低減できる。
【００４６】
さらに、電動ポンプなどを用いて水等を強制的に噴射して洗浄するものとは異なり、電力は不要で、構成も簡素である。そのうえ、使用方法も簡単である。
【００４７】
また、洗浄液１６には、酵素入り合成洗剤を溶かしたものを使用するので、高価な水虫薬が不要である。このため、安価に使用することができるという効果も有する。
【００４８】
更にまた、足踏みをして足を洗うときに、履いていた靴下を足収容空間１４内に投入することで、足と一緒に靴下も洗浄できる。靴下は、その他の洗濯物と別に洗濯する人もあったが、足の洗浄とともに靴下を洗うことによって、これが予洗いとなる。このため、この予洗いの後に、靴下を他の洗濯物と一緒にして洗濯機にかけることは、何ら躊躇することなく行える。
【００４９】
以下、この発明を実施するためのその他の形態について説明する。この説明に際して、上記構成と同一または同等の部位については、同一の符号を付して、その詳しい説明を省略する。
【００５０】
図５は、容器本体１２の周壁１２ａを、足踏みによって生じた噴流によって弾性変位可能に構成した例で、このように弾性変位することによって、足踏みしたときに洗浄液１６等が上にはねるのを抑えることができる。
【００５１】
図６は、洗浄体１５の表面に隆起部１５ａ，１５ｂ，１５ｃ，１５ｄを形成した例である。すなわち、図７にも示したように、足の爪先部分、足の土踏まず部分、足の外側の縁部分、足の踵部分に対応する部分に、その他の部分よりも隆起する隆起部１５ａ，１５ｂ，１５ｃ，１５ｄを形成している。各隆起部１５ａ，１５ｂ，１５ｃ，１５ｄの平面視形状と、隆起高さ、隆起形状は、適宜設定される。
【００５２】
このように、隆起部部１５ａ，１５ｂ，１５ｃ，１５ｄを形成すると、隆起部部１５ａ，１５ｂ，１５ｃ，１５ｄが、足における水虫のできやすい部分をより強く摩擦作用するので、足の効果的な洗浄が行える。
【００５３】
図８は、左右の足をそれぞれ別々に洗浄できるようにした洗浄容器の例で、足踏みを可能とする大きさの足収容空間１４を有した左右一対の容器本体１２，１２を有する。
【００５４】
図９、図１０は、容器本体１２が、足の爪先側部分を包囲する包囲部１２ｂを有した靴型をなす洗浄容器１１の例である。図９の洗浄容器１１は、左右の足を一緒に入れるタイプのもので、図１０の洗浄容器１１は、左右の足を別々に入れるタイプのものである。
【００５５】
これらのように構成した洗浄容器１１は、包囲部１２ｂが圧の爪先側部分を包囲するので、足収容空間１４内に入れる洗浄液等の使用量を抑えることができるとともに、水虫のできやすい爪先部分を集中して洗浄することができる。また、上端の開口部を小さくできるので、洗浄液等を入れすぎた場合でも、足踏み時の洗浄液等の跳ね上がりを抑制できる。
【００５６】
そして、このように容器本体１２を靴型に形成する場合には、図１１に仮想線で示したように、容器本体１２の内側面に、足踏みにより洗浄体１５が圧縮された時に下から上がる噴流の方向を規制して循環を促進する循環促進面１７を形成するとよい。つまり、包囲部１２ｂの上面に断面アーチ形の循環促進面１７を形成する。
【００５７】
このように構成すると、図１１に矢印で示したように、循環促進面に当たった噴流が、足収容空間１４の内側に向けられ、噴流の循環範囲が広げられて、洗浄液の循環が促進される。この結果、よどむ部分が少なくなり、洗浄により汚れた洗浄液が同じところに作用することを防止して、効果的な洗浄作用を実現することができる。
【００５８】
このような循環促進面１７は、靴型をなす容器本体１２の場合のほか、上述したようなずんどう形状の容器本体１２でも、形成できる。すなわち、図１２に示したように、容器本体１２の周壁１２ａにおける高さ方向の中間部に、断面視円弧状の循環促進面１７を形成して、この循環促進面１７より上側の部分を若干幅狭に形成する。
【００５９】
このように構成した場合でも、循環促進面１７に当たった噴流は、足収容空間１４の内側に向けられ、噴流の循環範囲が広げられて、洗浄液１６の循環が促進され、効果的な洗浄がなされる。
【００６０】
図１３は、靴型をなす容器本体１２に対して、内底面の上記洗浄体１５のほかに、同様の材料かなる、複数の補助洗浄体１８，１９，２０を備えた例を示す洗浄容器１１の断面図である。補助洗浄体１８，１９，２０は、足の爪先部分と足の踵部分に対応する位置に設けられている。
【００６１】
足の爪先部分には、包囲部１２ｂの天井面に取付けられる第１補助洗浄体１８と、爪先の足指に対応する位置に取付けられる第２補助洗浄体１９とを取付ける。第１補助洗浄体１８はマット状であるのに対して、第２補助洗浄体１９は、足指間に入る複数の突片１９ａを足側に有した、平面視くし歯状をなす。
【００６２】
足の踵部分には、足の踵の後ろ側から上の、アキレス腱部分に対向する第３補助洗浄体２０を取付けている。
【００６３】
このように、足の裏に対向する内底面以外の部分で、足水虫のできやすい部分に足をこする各補助洗浄体１８，１９，２０を備えると、足踏みしたり歩行したりした時に、それだけで足を全体的に摩擦することができる。特に、上記第２補助洗浄体１９は、足指間もこすることができる。このため、より積極的に足の洗浄が行える。
【００６４】
以上、この発明を実施するための形態を説明したが、この発明は、上記構成のみに限定されるものではなく、そのための様々な形態を採用し得る。
【００６５】
たとえば、容器本体の上端開口部の内周縁に、脚との接触を和らげ、使用時に洗浄液が飛び出すのを防止する、クッション体を備えるもよい。クッション体は、軟質の発泡樹脂等で構成できる。洗浄液の飛び出し防止作用は、容器本体が靴型の場合が、より効果的である。
【００６６】
また、洗浄体は、たとえば面ファスナなどの適宜の固定手段を用いることによって着脱自在に取付けることもできる。着脱自在であると、多孔質体の充分な洗浄が容易で、洗浄容器を清潔に保つことができる。そのうえ、磨り減った場合に新しいものと交換したり、水虫の状態に応じて作用の異なるものと取り替えたりすることもできるようになる。
【００６７】
さらに、洗浄体１５は、容器本体１２の内底面全体を覆うマット状ではなく、たとえば爪先部分、土踏まず部分、踵部分などに対して、部分的に取付けるもよい。
【００６８】
さらにまた、洗浄体１５は、スポンジ状の多孔質部材と繊維製部材とを組み合わせて形成することもできる。また、これら以外の適宜部材を組み合わせて形成するもよい。
【図面の簡単な説明】
【００６９】
【図１】足水虫洗浄容器の斜視図。
【図２】足水虫洗浄容器の断面図。
【図３】使用状態を示す断面図。
【図４】使用状態の説明図。
【図５】他の例に係る足水虫用洗浄容器の断面図。
【図６】他の例に係る足水虫用洗浄容器の断面図。
【図７】他の例に係る洗浄体の部分平面図。
【図８】他の例に係る足水虫用洗浄容器の斜視図。
【図９】他の例に係る足水虫用洗浄容器の斜視図。
【図１０】他の例に係る足水虫用洗浄容器の斜視図。
【図１１】他の例に係る足水虫用洗浄容器の断面図。
【図１２】他の例に係る足水虫用洗浄容器の断面図。
【図１３】他の例に係る足水虫用洗浄容器の断面図。
【符号の説明】
【００７０】
１１…足水虫用洗浄容器
１２…容器本体
１２ｂ…包囲部
１４…足収容空間
１５…洗浄体
１５ａ，１５ｂ，１５ｃ，１５ｄ…隆起部
１６…洗浄液
１７…循環促進面
【図１】
2006262913.tif 000003
【図２】
2006262913.tif 000004
【図３】
2006262913.tif 000005
【図４】
2006262913.tif 000006
【図５】
2006262913.tif 000007
【図６】
2006262913.tif 000008
【図７】
2006262913.tif 000009
【図８】
2006262913.tif 000010
【図９】
2006262913.tif 000011
【図１０】
2006262913.tif 000012
【図１１】
2006262913.tif 000013
【図１２】
2006262913.tif 000014
【図１３】
2006262913.tif 000015